(57)【要約】【課題】降雪地域においても、作業員等によることなく、タンク本体に洗浄水を補給することができるウォッシャー用タンク装置を提供する。【解決手段】  タンク本体と、降雪した雪を融雪する第１ヒーターと、前記第１ヒーターによる融雪により得られた水を前記タンク本体に供給するために前記タンク本体に連結された管路と、を備えることを特徴とする。【選択図】  図１
2007310304.tif 000002
【特許請求の範囲】
【請求項１】
タンク本体と、
降雪した雪を融雪する第１ヒーターと、
前記第１ヒーターによる融雪により得られた水を前記タンク本体に供給するために前記タンク本体に連結された管路と、
を備えることを特徴とするウォッシャー用タンク装置。
【請求項２】
前記融雪により得られた水の凍結を防止するための第２ヒーターをさらに備えることを特徴とする請求項１に記載のウォッシャー用タンク装置。
【請求項３】
前記第１ヒーターは、タンク本体上面に設けられ、自己に降雪した雪を融雪するためのヒーターパネルであり、
前記ヒーターパネルには、前記融雪により得られた水を透過させるための貫通孔が少なくとも一つ設けられており、
前記ヒーターパネル直下には、前記ヒーターパネルを透過した水を受けるために受水口が設けられていることを特徴とする請求項１又は２に記載のウォッシャー用タンク装置。
【請求項４】
前記第１ヒーター又は第２ヒーターの少なくとも一方をオンオフ制御する制御装置をさらに備えることを特徴とする請求項２又は３に記載のウォッシャー用タンク装置。
【請求項５】
前記ヒーターパネルと前記タンク本体との間に前記融雪により得られた水を濾過するフィルターをさらに備えることを特徴とする請求項３又は４に記載のウォッシャー用タンク装置。
【発明の詳細な説明】
【技術分野】
【０００１】
本発明は、特に遠隔操作されるテレビカメラの撮影窓を洗浄するウォッシャー装置に用いられ、洗浄水を貯留するタンク装置の構造に関する。
【背景技術】
【０００２】
従来、ビル屋上、鉄塔等に設置される監視カメラ等のテレビカメラは、雲台に支持され、離れた場所の監視室等で遠隔操作される。このテレビカメラは、例えばパン（左右方向）、チルト（上下方向）等へ動かされ、これによって捉えられた領域の映像をモニタ等へ表示することができる。また、このテレビカメラの撮影窓（ガラス）には、ワイパーが設けられると共に、ウォッシャー装置の洗浄水ノズルが配置され、この洗浄ノズルから洗浄水を撮影窓へ噴き付けて洗浄ができるようになっている。
【０００３】
即ち、このウォッシャー装置として、供給ポンプ及びタンクを備えたタンク装置がテレビカメラの近傍に配置されており、タンク内の洗浄水をポンプにより洗浄ノズルまで供給することにより、この洗浄ノズルから撮影窓へ向けて洗浄水を噴射することができる。
【０００４】
しかしながら、このウォッシャー装置では、所定容量のタンク内に入れてある洗浄水がなくなれば、洗浄水を補充する必要があるが、タンク装置はビル屋上や鉄塔等の危険な場所に配置されていることが多く、洗浄水の補充作業が大変であるという問題があった。
【０００５】
この問題を解消するために、雨水を洗浄水として利用するウォッシャー装置が提案されている（特許文献１）。
【０００６】
この特許文献１に記載のウォッシャー装置は、雨水を受けるための受水口と、この受水口の水を貯留するタンクとを備えており、これにより、作業員等によることなく、タンク本体に洗浄水を補給することが可能となっている。
【特許文献１】特開平１０−１３３２５８号公報
【発明の開示】
【発明が解決しようとする課題】
【０００７】
しかしながら、上記特許文献１に記載のウォッシャー装置は降雪地域では全く機能しないという問題がある。
【０００８】
本発明は上記問題点に鑑みてなされたものであり、その目的は、降雪地域においても、作業員等によることなく、タンク本体に洗浄水を補給することができるウォッシャー用タンク装置を提供することにある。
【課題を解決するための手段】
【０００９】
本発明は上記課題を解決するためになされたものであり、請求項１に記載の発明は、タンク本体と、降雪した雪を融雪する第１ヒーターと、前記第１ヒーターによる融雪により得られた水を前記タンク本体に供給するために前記タンク本体に連結された管路と、を備えることを特徴とする。
【００１０】
請求項１に記載の発明によれば、降雪地域において降雪した雪（例えばタンク本体上面に積もった雪）が第１ヒーターにより融雪され、この融雪により得られた水が受水口、管路を通って洗浄水としてタンク本体に補給される。すなわち、降雪地域においても、作業員等によることなく、タンク本体に洗浄水を補給することが可能となる。
【００１１】
請求項２に記載の発明は、請求項１に記載の発明において、前記融雪により得られた水の凍結を防止するための第２ヒーターをさらに備えることを特徴とする。
【００１２】
請求項２に記載の発明によれば、第２ヒーターが受水口に設けられているので、第１ヒーターによる融雪により得られた水の凍結を防止することが可能となる。しかも、第２ヒーターは第１ヒーターよりもタンク本体内側に設けられることになる。すなわち、第２ヒーターの作用によりタンク本体内が暖められることになるから、第１ヒーターによる融雪により得られた水の凍結を、その水が受水路、管路を通ってタンク本体に達するまでの間のみならず、タンク本体に貯留されている間も、防止することが可能となる。
【００１３】
請求項３に記載の発明は、請求項１又は２に記載の発明において、前記第１ヒーターは、タンク本体上面に設けられ、自己に降雪した雪を融雪するためのヒーターパネルであり、前記ヒーターパネルには、前記融雪により得られた水を透過させるための貫通孔が少なくとも一つ設けられており、前記ヒーターパネル直下には、前記ヒーターパネルを透過した水を受けるために受水口が設けられていることを特徴とする。
【００１４】
請求項３に記載の発明によれば、降雪地域において降雪しタンク本体上面に設けられたヒーターパネルに積もった雪がヒーターパネルにより融雪され、この融雪により得られた水が貫通孔、受水口、管路を通って洗浄水としてタンク本体に補給される。すなわち、降雪地域においても、作業員等によることなく、タンク本体に洗浄水を補給することが可能となる。
【００１５】
請求項４に記載の発明は、請求項２又は３に記載の発明において、前記第１ヒーター又は第２ヒーターの少なくとも一方をオンオフ制御する制御装置をさらに備えることを特徴とする。
【００１６】
請求項４に記載の発明によれば、例えば、制御装置を遠隔に設置すれば、遠隔から各ヒーターを制御することにより、降雪地域においても、作業員等によることなく、タンク本体に洗浄水を補給することが可能となる。また、第１ヒーター及び第２ヒーターをいずれもオンすることにより、降雪した雪を融雪して洗浄水を補給できるとともに洗浄水の凍結を防止することが可能となる。さらに、第２ヒーターのみをオンすることにより（例えば洗浄水の補給は不要であるが洗浄水の凍結を防止したい場合）、タンク本体に貯留されている洗浄水の凍結を防止することが可能となる。
【００１７】
請求項５に記載の発明は、請求項３又は４に記載の発明において、前記ヒーターパネルと前記タンク本体との間に前記融雪により得られた水を濾過するフィルターをさらに備えることを特徴とする。
【００１８】
請求項５に記載の発明によれば、フィルターを備えているので洗浄水の洗浄度が高まるから、洗浄水噴射の際の詰まりを防止し得るとともに、洗浄をより清浄に行うことが可能となる。
【発明の効果】
【００１９】
本発明によれば、降雪地域においても、作業員等によることなく、タンク本体に洗浄水を補給することができるウォッシャー用タンク装置を提供することが可能となる。
【発明を実施するための最良の形態】
【００２０】
本発明の一実施形態である撮影窓ウォッシャー用タンク装置（以下タンク装置ということがある）について図面を参照しながら説明する。
【００２１】
図１乃至図５には、実施形態例に係る撮影窓ウォッシャー用タンク装置及びテレビカメラとテレビレンズが接続されたテレビカメラ装置を取り付けた雲台装置が示されており、まず図４により全体の構成を説明する。図４において、テレビレンズ１１は雲台１２に取り付けられ、この雲台１２が鉄塔等の載置部１３に固定されており、この雲台１２の２軸のそれぞれの駆動により、テレビレンズ１１はパン動作及びチルト動作をすることになる。
【００２２】
また、上記テレビレンズ１１の前面の撮影窓ガラス１４には、ワイパー１５が配置されると共に、撮影窓ガラス１４の枠部分に噴射ノズル１６が取り付けられており、この噴射ノズル１６は、撮影窓ガラス１４の中心部へ洗浄水を噴射するように位置決めされる。この噴射ノズル１６は、供給パイプ１７を介してタンク装置１８に取り付けられる。一方、監視室等の遠隔地に、リモート操作部２０が設けられ、このリモート操作部２０には、パン、チルトの操作をするジョイスティック２１等と共に、洗浄水スイッチ２２、ワイパースイッチ２３、融雪用ヒータースイッチ４０、凍結防止用ヒータースイッチ４１が配置される。
【００２３】
タンク装置１８とリモート操作部２０とは各種の形態で接続することが可能である。図５は、両者を電話回線や光ファイバー等の通信回線４４で接続した例である。リモート操作部２０の各スイッチ（洗浄水スイッチ２２、ワイパースイッチ２３、融雪用ヒータースイッチ４０、凍結防止用ヒータースイッチ４１等）がオンオフされると、その制御信号がシリアル通信変換部４３、通信回線４４、及び中継器５０を介して制御部６０に伝達される。この伝達を受けた制御部６０の制御により、第１ヒーターパネル４５、第２ヒーターパネル２５ａ、ポンプ３５等がオンオフされる。
【００２４】
図１には、上記タンク装置１８の詳細な構成が示されており、このタンク装置１８は、上側の受水口２５が連結管２６でタンク本体２７に接続された構成となっている。上記受水口２５は、タンク装置１８の方形上面の広い領域に設けられており、この受水口２５の上側には薄板状のろ過用フィルタ２８が設けられ、また連結管２６との接続部にも少し厚めのろ過用フィルタ２９が取り付けられる。
【００２５】
ろ過用フィルタ２８には、タンク本体２７上面を構成する第１ヒーターパネル４５が重ねられている。タンク装置１８は外部環境に晒されているので、降雪の際には第１ヒーターパネル４５に降雪した雪が積もる。第１ヒーターパネル４５は、リモート操作部２０の融雪用ヒータースイッチ４０がオンされると通電により発熱し、その自己に積もった雪を融雪する。この融雪により得られた水が後述のようにタンク本体２７に補給されることになる。
【００２６】
第１ヒーターパネル４５による融雪により得られた水は、図２に示すように、第１ヒーターパネル４５に形成された少なくとも一つの貫通孔４５ｂ（図２では２４個を例示）を透過し、第１ヒーターパネル４５の直下に設けられたろ過用フィルタ２８によりろ過され、受水口２５に落下し、その受水口２５の傾斜した底面に沿って、ろ過用フィルタ２９に達する。
【００２７】
受水口２５の底面にはリモート操作部２０の凍結防止用ヒータースイッチ４１がオンされると通電により発熱する第２ヒーターパネル２５ａが設けられている。これにより、第１ヒーターパネル４５による融雪により得られた水の凍結を防止することが可能となる。
【００２８】
上記連結管２６には、満水時の水量を制御する弁部３０と外部へ余った水を排水する排出管（逃がし管）３１が斜めに取り付けられており、この弁部３０内には、図３（Ａ）に示されるように、連結管２６側からの水の水圧が大きいときに開き、図３（Ｂ）に示されるように、タンク本体２７側からの水圧が高いときに閉じる弁体３２が設けられる。このような弁機構によれば、所定量の満水時に上記弁体３２を閉じて、更に流入する水を排出管３１から逃がすことができる。
【００２９】
図１に示すように、上記タンク本体２７内では、吸引パイプ３４が底面付近まで挿入され、この吸引パイプ３４に電動ポンプ３５が接続される。このポンプ３５には、上述した噴射ノズル１６への供給パイプ１７が接続され、またリモート操作部２０からの制御信号が伝達できるようになっている。
【００３０】
次に、上記構成の撮影窓ウォッシャー用タンク装置の動作について説明する。
【００３１】
まず、降雪時の洗浄水の補給動作について説明する。
【００３２】
降雪時の洗浄水の補給動作を行う前に、ヒーターパネル４５上に雪が積もっているかどうかを確認する。この確認は、例えば、テレビレンズ１１により周囲環境を撮影した映像から判断する。その結果、周囲環境に積雪が認められたのであれば、ヒーターパネル４５上にも積雪していると推定できるので、リモート操作部２０の融雪用ヒータースイッチ４０をオンする。このスイッチ４０がオンされると、図５に示すように、その制御信号がシリアル通信変換部４３、通信回線４４、及び中継器５０を介して制御部６０に伝達される。この伝達を受けた制御部６０の制御により、第１ヒーターパネル４５は、通電により発熱し、その自己に積もった雪を融雪する。なお、第１ヒーターパネル４５に積もった雪は、タンク本体２７の周囲２７ａ（ヒーターパネル４５表面４５ａよりも上方に突出している）が滑り止めとして機能するので、落下しないようになっている。
【００３３】
第１ヒーターパネル４５による融雪により得られた水は、図２に示すように、第１ヒーターパネル４５に形成された少なくとも一つの貫通孔４５ｂを透過し、受水口２５で受けられ、この際にろ過用フィルタ２８及び２９でごみ等がろ過される。
【００３４】
２個のろ過用フィルタ２８及び２９によれば、二段階でろ過されるので、タンク本体２７内へ導入する水を非常にきれいにすることができる。また、外部からタンク内へごみが混入することも防止できる。さらに、洗浄水の洗浄度が高まるから、洗浄水噴射の際の詰まりを防止し得るとともに、洗浄をより清浄に行うことが可能となる。
【００３５】
このようにしてろ過された水は連結管２６を通り、弁部３０を介してタンク本体２７内に流れる。この弁部３０の状態が図３（Ａ）に示されており、水の水圧で弁体３２が開状態となって、タンク本体２７内に水３７が洗浄水として溜まることになる。そして、水３７が図１の満水位置（鎖線）１００まで溜まると、図３（Ｂ）に示されるように、タンク本体２７側からの水圧が連結管２６側からの水圧よりも大きくなって、弁体３２が閉状態となる。従って、更に連結管２６を流れてくる水は、排出管３１を介して外部へ排出される。
【００３６】
上記の弁機構の作用によれば、タンク本体２７内の水３７を満水位置１００に維持できると共に、洗浄水としての水３７を使う前に外部へ漏出させないようにすることができる。
【００３７】
そして、図４のリモート操作部２０の洗浄水スイッチ２２を押すと、ポンプ３５が作動し、上記タンク本体２７内に溜まった水３７（洗浄水）が供給パイプ１７を介して噴射ノズル１６へ供給される。従って、このノズル１６から洗浄水が撮影窓ガラス１４へ向けて噴射される。なお、このとき、ワイパースイッチ２３を押してワイパー１５を動作させれば、噴き付けた洗浄水を払拭することができる。
【００３８】
以上説明したように、本実施形態の撮影窓ウォッシャー用タンク装置１８によれば、降雪しタンク本体上面である第１ヒーターパネル４５に積もった雪が第１ヒーターパネル４５により融雪され、この融雪により得られた水が受水口２５、連結管２６等を通って洗浄水としてタンク本体２７に補給される。すなわち、降雪地域においても、作業員等によることなく、タンク本体２７に洗浄水を補給することが可能となる。
【００３９】
なお、第１ヒーターパネル４５及び第２ヒーターパネル２５ａをいずれもオンすることにより、降雪した雪を融雪して洗浄水を補給できるとともに洗浄水の凍結を防止することが可能となる。例えば、ウォッシャー用タンク装置１８周囲温度が低下しており融雪により得られた水の凍結が予測される場合には、さらに、リモート操作部２０の凍結防止用ヒータースイッチ４１をオンする。このスイッチ４１がオンされると、図５に示すように、その制御信号がシリアル通信変換部４３、通信回線４４、及び中継器５０を介して制御部６０に伝達される。この伝達を受けた制御部６０の制御により、第２ヒーターパネル２５ａは、通電により発熱する。この第２ヒーターパネル２５ａにより、第１ヒーターパネル４５による融雪により得られた水の凍結を防止することが可能となる。しかも、第２ヒーターパネル２５ａは第１ヒーターパネル４５よりもタンク本体２７内側に設けられている。すなわち、第２ヒーターパネル２５ａの作用によりタンク本体２７内が暖められることになるから、第１ヒーターパネル４５による融雪により得られた水の凍結を、その水が受水口２５、連結管２６等を通ってタンク本体２７に達するまでの間のみならず、タンク本体２７に貯留されている間も、防止することが可能となる。
【００４０】
あるいは、第２ヒーターパネル２５ａのみをオンすることにより（例えば洗浄水の補給は不要であるが洗浄水の凍結を防止したい場合）、タンク本体２７に貯留されている洗浄水の凍結を防止することが可能となる。
【００４１】
なお、上記実施形態では、第１ヒーターパネル４５による融雪により得られた水を洗浄水としてタンク本体２７に補給する例について説明したが、本実施形態のタンク装置１８の構成によれば、雨天時には雨水を洗浄水としてタンク本体２７に補給することが可能である。すなわち、本実施形態のタンク装置１８は、降雪時、雨天時を問わず、いずれの天候においても、作業員等によることなく、タンク本体に洗浄水を補給することが可能となっている。
【００４２】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００４３】
【図１】本発明の一実施形態である撮影窓ウォッシャー用タンク装置の構成を説明するための図である。
【図２】第１ヒーターパネル４５の構成を説明するための図である。
【図３】弁部３０の開閉動作を説明するための図である。
【図４】本発明の一実施形態である撮影窓ウォッシャー用タンク装置が適用される撮影システムの構成を説明するための図である。
【図５】タンク装置１８とリモート操作部２０との接続例を説明するための図である。
【符号の説明】
【００４４】
１１…テレビレンズ、１２…雲台、１３…載置部、１４…撮影窓ガラス、１５…ワイパー、１６…噴射ノズル、１７…供給パイプ、１８…撮影窓ウォッシャー用タンク装置、２０…リモート操作部、２１…ジョイスティック、２２…洗浄水スイッチ、２３…ワイパースイッチ、２５…受水口、２５ａ…ヒーターパネル、２６…連結管、２７…タンク本体、２７ａ…周囲、２８…ろ過用フィルタ、２９…ろ過用フィルタ、３０…弁部、３１…排出管、３２…弁体、３４…吸引パイプ、３５…電動ポンプ、３７…雨水、４０…融雪用ヒータースイッチ、４１…凍結防止用ヒータースイッチ、４３…シリアル通信変換部、４４…通信回線、４５…ヒーターパネル、４５ａ…表面、４５ｂ…貫通孔、５０…中継器、６０…制御部、１００…満水位置
【図１】
2007310304.tif 000003
【図２】
2007310304.tif 000004
【図３】
2007310304.tif 000005
【図４】
2007310304.tif 000006
【図５】
2007310304.tif 000007